(57)【要約】      （修正有）【課題】照明光学系や撮影光学系によるシェーディングを補正するシェーディング補正装置を有し、高品質の画像が取得可能な顕微鏡を提供する。【解決手段】前記照明光学系の複数の前記照明条件に対応する照明用シェーディングデータと前記撮影光学系の複数の前記撮影条件に対応する撮影用シェーディングデータとを個別のデータとして記憶する記憶部５２と、選択された前記照明条件と選択された前記撮影条件とで取得される標本１の画像に対するシェーディング補正データを前記記憶部の前記照明用シェーディングデータと前記撮影用シェーディングデータとを用いて生成するシェーディング補正データ生成手段５３と、生成した前記シェーディング補正データで前記標本の前記画像を補正するシェーディング補正手段５４と、を備えることを特徴とする顕微鏡４０。【選択図】図２
2011150194.tif 000002
【特許請求の範囲】
【請求項１】
顕微鏡本体と、
照明光学系と、
前記照明光学系の照明条件を選択する照明条件選択手段と、
標本を撮影する撮影光学系と、
前記撮影光学系の撮影条件を選択する撮影条件選択手段と、
前記照明光学系の複数の前記照明条件に対応する照明用シェーディングデータと前記撮影光学系の複数の前記撮影条件に対応する撮影用シェーディングデータとを個別のデータとして記憶する記憶部と、
選択された前記照明条件と選択された前記撮影条件とで取得される前記標本の画像に対するシェーディング補正データを前記記憶部の前記照明用シェーディングデータと前記撮影用シェーディングデータとを用いて生成するシェーディング補正データ生成手段と、
生成した前記シェーディング補正データで前記標本の前記画像を補正するシェーディング補正手段と、を備えることを特徴とする顕微鏡。
【請求項２】
前記顕微鏡本体を着脱可能なベース部を有し、
前記ベース部は、前記記憶部とは別の記憶部を有し、
前記別の記憶部は、前記顕微鏡本体の前記記憶部に記憶されている前記照明用シェーディングデータと前記撮影用シェーディングデータとは異なる複数の照明用シェーディングデータおよび複数の撮影用シェーディングデータの少なくとも一方を有し、前記シェーディング補正データ生成手段を介して前記シェーディング補正データを生成することを特徴とする請求項１に記載の顕微鏡。
【請求項３】
前記ベース部は、別の照明条件選択手段と別の撮影条件選択手段とを有し、
前記顕微鏡が前記ベース部に装着されたとき、前記ベース部に設けられた前記別の照明条件選択手段と前記別の撮影条件選択手段が優先して使用されることを特徴とする請求項１または２に記載の顕微鏡。
【請求項４】
前記シェーディング補正データ生成手段は、選択された前記照明条件に対応する前記照明用シェーディングデータと、選択された前記撮影条件に対応する前記撮影用シェーディングデータとから、前記シェーディング補正データを生成することを特徴とする請求項１から３のいずれか１項に記載の顕微鏡。
【請求項５】
前記シェーディング補正データ生成手段は、選択された前記照明条件に対応する前記照明用シェーディングデータおよび選択された前記撮影条件に対応する前記撮影用シェーディングデータの少なくとも一方のデータが未記憶の際、前記記憶部に記憶されている選択された前記照明条件に近い少なくとも二つの前記照明用シェーディングデータおよび選択された前記撮影条件に近い少なくとも二つの前記撮影用シェーディングデータの少なくとも一方のデータから選択された前記照明条件と選択された前記撮影条件とに対応するシェーディング補正データを補完計算により生成することを特徴とする請求項１から３のいずれか１項に記載の顕微鏡。
【請求項６】
前記照明光学系は、前記顕微鏡本体の前記標本の側の外周部に配設されていることを特徴とする請求項１から５のいずれか１項に記載の顕微鏡。
【請求項７】
前記照明光学系は、複数の光源を有し、
前記照明条件は、複数の前記光源の発光数または発光領域を変えた条件であることを特徴とする請求項１から６のいずれか１項に記載の顕微鏡。
【請求項８】
前記撮影条件は、対物レンズの倍率または変倍光学系の変倍倍率を変えた条件であることを特徴とする請求項１から７のいずれか１項に記載の顕微鏡。
【発明の詳細な説明】
【技術分野】
【０００１】
本発明は、シェーディング補正装置を有する顕微鏡に関する。
【背景技術】
【０００２】
従来、対物レンズの外周に配置された照明装置で照明された標本の像を、対物レンズを介して撮像素子（ＣＣＤ）で撮像するハンディーな拡大観察ユニットと、撮像された標本像を表示する表示装置とから構成された拡大撮像装置が提案されている（例えば、特許文献１参照）。
【先行技術文献】
【特許文献】
【０００３】
【特許文献１】特開平１１−１６４２９３号公報
【発明の概要】
【発明が解決しようとする課題】
【０００４】
しかしながら、従来の拡大観察ユニットからなる顕微鏡では、照明光の不均一性や撮影光学系の諸収差およびＣＣＤによるシェーディングが発生し高い品質の画像を取得することが難しいという問題があった。
【０００５】
本発明は、上記問題に鑑みなされたものであって、照明光学系や撮影光学系によるシェーディングを補正するシェーディング補正装置を有し、高品質の画像が取得可能な顕微鏡を提供することを課題とする。
【課題を解決するための手段】
【０００６】
上記課題を解決するために、本発明は、顕微鏡本体と、照明光学系と、前記照明光学系の照明条件を選択する照明条件選択手段と、標本を撮影する撮影光学系と、前記撮影光学系の撮影条件を選択する撮影条件選択手段と、前記照明光学系の複数の前記照明条件に対応する照明用シェーディングデータと前記撮影光学系の複数の前記撮影条件に対応する撮影用シェーディングデータとを個別のデータとして記憶する記憶部と、選択された前記照明条件と選択された前記撮影条件とで取得される前記標本の画像に対するシェーディング補正データを前記記憶部の前記照明用シェーディングデータと前記撮影用シェーディングデータとを用いて生成するシェーディング補正データ生成手段と、生成した前記シェーディング補正データで前記標本の前記画像を補正するシェーディング補正手段と、を備えることを特徴とする顕微鏡を提供する。
【発明の効果】
【０００７】
本発明によれば、照明光学系や撮影光学系によるシェーディングを補正するシェーディング補正装置を有し、高品質の画像が取得可能な顕微鏡を提供することができる。
【図面の簡単な説明】
【０００８】
【図１】スタンドに保持された本実施形態に係る顕微鏡の概略構成側面図である
【図２】本実施形態に係る顕微鏡用アダプタを装着した顕微鏡を示しており、顕微鏡をスタンドから取り外して被検物を観察している状態を示す図である。
【図３】本実施形態にかかる顕微鏡の概略ブロック図である。
【発明を実施するための形態】
【０００９】
以下、本発明の実施形態に係るシェーディング補正装置を有する顕微鏡について図面を参照しつつ詳細に説明する。なお、以下の実施形態は、発明の理解を容易にするためのものに過ぎず、本発明の技術的思想を逸脱しない範囲において当業者により実施可能な付加・置換等を施すことを排除することは意図していない。
【００１０】
はじめに、本願の実施形態に係るシェーディング補正装置を有する顕微鏡の全体的な構成について説明する。図１は、本願の実施形態に係る顕微鏡の概略構成側面図であり、顕微鏡本体がスタンドに取り付けられた状態を示している。図１、図２に示すように、本実施形態に係る顕微鏡１０１は、スタンド２０と、スタンド２０に着脱可能に取り付けられた顕微鏡本体４０（以下、本明細書において単に「本体」という。）とからなり、本体４０は、スタンド２０から取り外された単体の状態でも顕微鏡として機能するように構成されている。このため本体４０は、対物レンズと変倍光学系とを含む結像光学系４１、撮像素子４５、小型モニタ４６、結像光学系４１の周囲に配置されＬＥＤ光源４３とレンズ４９とから構成されて標本を照明する照明光学系、照明光学系の標本側端部に装着して使用される顕微鏡用アダプタ６０、及び各部を制御する電気系等４２を備えている。なお、上記照明光学系は、結像光学系４１の外周部以外に配置しても良い。
【００１１】
図１に示すように、スタンド２０は、標本が載置されるステージ１０が配置されたベース部１２と、ベース部１２から立設された支柱１４と、ステージ１０と対向する方向に支柱１４から垂直に設けられたアーム部１６とからなり、アーム部１６に円筒形状の本体４０が接続されている。
【００１２】
本実施形態において、アーム部１６と本体４０とは、把持部４８のコネクタ１８−１、１８−２、及び不図示の固定手段（オスアリとメスアリによる凹凸嵌合等）により接続されており、機械的に接続されると同時に電気的にも接続される構成となっている。本体４０には、コネクタ１８−１，１８−２を接続した際、本体４０をアーム部１６に対して固定するための不図示のクランプが設けられている。なお、本体４０をアーム部１６へ固定する手段はクランプに限られず、例えば本体４０が適度な嵌合力でスタンド２０に接続していても良い。また、以降、コネクタ１８−１，１８−２を個々に区別する必要のない場合、単にコネクタ１８と称する。
【００１３】
ベース部１２の側部には、ステージ１０を上下動させるためのステージ用上下動ハンドル２４が設けられており、観察者がステージ用上下動ハンドル２４を操作することによりステージ１０が上下に移動する。また、支柱１４の側部には、アーム部１６を上下動させるためのアーム部用上下動ハンドル２６が設けられており、観察者がアーム部用上下動ハンドル２６を操作することによりアーム部１６を上下動することができる。ステージ１０やアーム部１６を上下に移動することで、観察者はピント調整を行うことができる。なお、ステージ１０及びアーム部１６の上下動は、手動または自動のいずれにより行う構成としても良い。
【００１４】
また、ベース部１２の側部には、本体４０をアーム部１６に装着して使用する際に用いられる、本体４０内の結像光学系４１中の変倍光学系の変倍倍率を変化させるためのズームスイッチ２７、ＬＥＤ４３（図２参照）の光量等を調整するための調光スイッチ２８の他、ライブ画像のキャプチャを指示するときに操作されるキャプチャボタン２９、キャプチャ画像の再生を指示するための再生ボタン３１、及び観察画像の表示の切替を指示するための切替ボタン３２が設けられている。
【００１５】
スタンド２０にはスタンド２０全体の動作を制御するスタンド側制御基板３３が、本体４０には本体４０全体の動作を制御する本体側制御基板４２がそれぞれ設けられている。
【００１６】
このような構成のもと、本体４０をアーム部１６に装着して試料を観察する場合、スタンド２０に接続された不図示の電源からの電力は、スタンド２０内の給電部３５からアーム部１６を介して本体４０の各部に供給されて本体４０を駆動する。本体４０で得られた観察画像は、コネクタ１８を介して本体側制御基板４２からスタンド側制御基板３３へ供給され、スタンド２０に接続されたモニタ３７に表示される。また、ベース部１２に設けられた上記のキャプチャボタン２９等が操作されると、スタンド側制御基板３３は、操作されたボタン等から供給される信号に応じた動作をコネクタ１８を介して本体側制御基板４２に指示し、操作されたボタンに対応した動作が行われる。
【００１７】
本実施形態に係る顕微鏡は、本体４０がアーム部１６から分離された状態となると、本体側制御基板４２は、本体４０への電力供給元を給電部３５から本体内のバッテリ４４に切り替えるとともに、観察画像の供給先をスタンド２０に接続されたモニタ３７から、本体４０の側面に設けられた小型モニタ４６に切り替える。これにより、本体４０の各部への電力はバッテリ４４から供給されるようになり、本体４０が単体で顕微鏡として機能する。
【００１８】
本体側制御基板４２は、本体４０がアーム部１６を介してスタンド２０に電気的に接続されていると判定すると、本体４０の操作系に対する操作を無効として受け付けず、スタンド２０の操作系に対する操作のみを有効として受け付ける構成となっている。なお、本体４０及びスタンド２０の各操作系に対する操作の有効・無効はこれに限られず、例えば両方の操作系に対する操作を有効としたり、別途設けたスイッチにより有効と無効を適宜切り替えるようにしても良い。
【００１９】
次に、本体４０について説明する。図２は、顕微鏡用アダプタ６０を装着した本体４０を示しており、本体４０をスタンド２０から取り外して、被検物（標本）１を観察している状態を示している。
【００２０】
本体４０は、円筒状の筐体４７と、観察者が把持するための把持部４８とからなる。筐体４７内には、筐体４７における被検物１側端部から順に、対物レンズと変倍光学系とを含む結像光学系４１と、結像光学系４１により形成された観察像を撮像するＣＣＤ４５が配置されている。結像光学系４１の変倍は、本体４０の外周部に配置された変倍（Ｗ−Ｔ）ボタン７０（図１参照）を操作することで、低倍率から高倍率まで変倍倍率を可変することができる。
【００２１】
結像光学系４１の周囲には、結像光学系４１を取り囲むように筐体４７の内壁に沿って複数のＬＥＤ４３が輪帯状に並べられて固定され、ＬＥＤ４３の照明光出射側には、当該ＬＥＤ４３からの照明光を被検物１へ照射するためのレンズ４９が配置されている。
【００２２】
図２に示すように、レンズ４９も、対物レンズ４１を取り囲むように筐体４７の内壁に沿って配置されている。本体４０では、本体４０の外周部に配置された調光ボタン５０（図１参照）を操作することで、複数のＬＥＤ４３の全部を一度に点灯させたり、一部のＬＥＤ４３のみを点灯させて被検物１を照明したりすることが可能となっている。
【００２３】
また、筐体４７内には上述のバッテリ４４が配置されているが、バッテリ４４は本体４０に対して着脱可能に構成されている。バッテリ４４を着脱可能とすることで、バッテリ４４を本体４０から外した際、不図示の充電器によりバッテリ４４を充電することができる。なお、バッテリ４４は、アーム部１６に装着した状態で充電することも可能である。
【００２４】
図１に示すように、筐体４７の外側面には、観察画像を表示するための小型モニタ４６が設けられている。小型モニタ４６は、筐体４７の側面に嵌めこんで設けられる他、筐体４７に対して開閉可能にヒンジ構造等で設けられていても良い。
【００２５】
顕微鏡用アダプタ６０は、筐体４７における被検物１側端部に外嵌しており、観察者が適宜着脱できる構成となっている。なお、顕微鏡用アダプタ６０の筐体４７への固定方法は外嵌に限られず、ネジ等の固定手段により固定しても良い。
【００２６】
また、図２に示すように、顕微鏡用アダプタ６０は、中央に開口部６１を有するアダプタ底部６２と、筒状部６３とからなる断面略Ｕ字状のアダプタ筐体６４を有しており、ＬＥＤ４３からの照明光は開口部６１を通って被検物１を照射する。アダプタ底部６２を被検物１の表面に押し付けることで、結像光学系４１を被検物１の表面に合焦することができる。被検物１で反射された光は、結像光学系４１でＣＣＤ４５に結像され、被検物１の像がＣＣＤ４５で撮像されて小型モニタ４６で観察することができる。なお、顕微鏡用アダプタ６０は、透明な部材で形成されていることが好ましい。透明な部材で形成されていることで、観察者が被検物１の観察位置を視認することが可能になる。
【００２７】
本実施形態にかかる顕微鏡の本体４０は、照明光学系（４３、４９）のシェーディングおよび撮影光学系のシェーディングによる取得画像のシェーディングを補正するシェーディング補正装置を有している。以下、シェーディング補正装置について図３を参照しつつ説明する。
【００２８】
図３において、本体４０は、予め測定した照明光学系（４３、４９）の例えば３種類の照明条件に対応するシェーディングデータ（以後、パターン１、パターン２、パターン３と略記する）を本体４０のメモリ５２に保存している。本体４０のみで顕微鏡観察するときには、本体４０に配置されているバッテリ４４を使用するので、ＬＥＤ４３の発光数を制限してバッテリ４４の寿命を長くする。
【００２９】
例えば、パターン１は、照明条件として全ＬＥＤ４３の１／４の数を発光させた場合のシェーディングデータとする。パターン２は、照明条件として全ＬＥＤ４３の１／３の数を発光させた場合のシェーディングデータとする。パターン４は、照明条件として全ＬＥＤ４３の１／２の数を発光させた場合のシェーディングデータとする。このように、照明条件としてＬＥＤ４３の発光数を制御することで電力消費を抑えバッテリ４４で長く観察できるようにしている。なお、メモリ５２に保存できる照明光学系のシェーディングデータは３種類に限られないことは言うまでもない。また、上記シェーディングデータは、ＬＥＤ４３の発光数に限らず発光領域に対応させても良い。
【００３０】
また、本体４０は、予め測定した撮影光学系（４１、４５）の例えば３種類の結像条件に対応するシェーディングデータ（以後、パターンＡ、パターンＢ、パターンＣと略記する）を本体４０のメモリ５２に保存している。なお、ここでのシェーディングデータは、結像光学系４１とＣＣＤ４５とを含む撮影光学系のシェーディングデータである。
【００３１】
例えば、パターンＡは、撮影条件として結像光学系４１の変倍倍率が低倍率の場合のシェーディングデータとする。パターンＢは、撮影条件として結像光学系４１の変倍倍率が中間倍率の場合のシェーディングデータとする。パターンＣは、撮影条件として結像光学系４１の変倍倍率が高倍率の場合のシェーディングデータとする。なお、メモリ５２に保存できる結像光学系４１のシェーディングデータは３種類に限られないことは言うまでもない。
【００３２】
本体４０は、照明光学系のシェーディングデータ３種類と、撮影光学系のシェーディングデータ３種類とから、これらを組み合わせた３×３＝９種類のシェーディング補正データ、およびこれら９種類のシェーディング補正データ間のシェーディング補正データを前記９種類のシェーディング補正データを用いた補完計算により生成するシェーディング補正データ生成部５３を有している。
【００３３】
このように、本願のシェーディング補正装置は、照明光学系の複数のシェーディングデータおよび撮影光学系の複数のシェーディングデータのみをメモリ５２が持ち、シェーディング補正データ生成部５３で観察状態（照明条件、撮影条件）に対応してシェーディング補正データをシェーディング補正データ生成部５３で生成することができるので、全てのシェーディングデータを保存する必要が無く、シェーディングデータを保存するためのメモリ５２の容量を低減することができる。
【００３４】
本体４０では、シェーディング補正した画像は以下のようにして得られる。以下、照明条件がパターン１（照明条件として全ＬＥＤ４３の１／４の数を発光）、撮影条件がパターンＡ（結像条件として低倍率）について代表して説明するが、その他の場合でも同様である。
【００３５】
調光ボタン５０を操作してＬＥＤ４３の１／４の数を発光させて被検物１を照明すると共に、変倍ボタン７０を操作して撮影光学系の変倍倍率を低倍率にして被検物１の像をＣＣＤ４５で撮像し、画像データをシェーディング補正部５４に入力する。
【００３６】
また、変倍ボタン７０と調光ボタン５０の上記位置はＣＰＵ５３で検出されてそれぞれの位置に対応する照明条件パターン１と撮影条件パターンＡがメモリ５２から選択されてシェーディング補正データ生成部５３に送られる。
【００３７】
シェーディング補正データ生成部５３は、パターン１とパターンＡとを用いて観察状態（照明条件、撮影条件）に応じたシェーディング補正データを生成してシェーディング補正部５４に入力する。
【００３８】
シェーディング補正部５４は、生成されたシェーディング補正データに基き入力された被検物画像にシェーディング補正を行う。シェーディング補正部５４でシェーディング補正された画像データは、画像生成部５５で画像処理されてシェーディングが補正された画像が本体４０の小型モニタ４６に表示される。このようにして観察者は、照明条件と撮影条件に対応したシェーディング補正データで補正されてシェーディングが解消された被検物の像を小型モニタ４６で観察することができる。
【００３９】
また、本体４０は、図１に示すようにスタンド２０に搭載して顕微鏡１０１として、ステージ１０に載置された被検物１を観察することができる。スタンド２０は、照明光学系のシェーディングデータ（以後、パターン４、パターン５、パターン６と略記する）を予め複数測定して保存したメモリ５７を有している。この場合、電源は外部ＡＣ電源を使用することができるので、本体４０のみの場合のパターン１〜３にパターン４〜６の照明光学系のシェーディングデータを追加して使用することができる。
【００４０】
例えば、パターン４は、照明条件として全ＬＥＤ４３の２／３の数を発光させた場合のシェーディングデータとする。パターン５は、照明条件として全ＬＥＤ４３の３／４の数を発光させた場合のシェーディングデータとする。パターン６は、照明条件として全ＬＥＤ４３を発光させた場合のシェーディングデータとする。
【００４１】
このように、外部ＡＣ電源が使える場合には、ＬＥＤ４３の発光数を増やすことで明るい照明光で被検物１の像が観察できる。なお、スタンド２０のメモリ５７に保存されている照明光学系のシェーディングデータはこれら３種類に限られないことは言うまでもない。また、保存する撮影光学系のシェーディングデータは、変倍倍率以外に交換可能な対物レンズに対応する撮影光学系のシェーディングデータを含めても良い。また、照明光学系のシェーディングデータは、ＬＥＤ４３の発光数以外に発光領域を変えた時のデータであっても良い。
【００４２】
メモリ５７に保存されている照明光学系のパターン４〜６のシェーディングデータは、これらの照明条件がベース部１２の調光スイッチ２８で選択された場合、本体４０のシェーディング補正データ生成部５３に送られて、ズームスイッチ２７で選択された撮影条件のシェーディングデータ（パターンＡ〜Ｃ）と組み合わされて観察時のシェーディング補正データがシェーディング補正データ生成部５３で生成される。以後、生成されたシェーディング補正データを用いてシェーディング補正部５４が画像のシェーディング補正を行うことは上述と同様であり説明を省略する。なお、この場合も、パターン１〜６とパターンＡ〜Ｃの組み合わせ以外のシェーディングデータは、補完計算により生成することは言うまでもない。また、調光スイッチ２８は、本体４０のシェーディングデータであるパターン１〜３も選択できることは言うまでもない。
【００４３】
スタンド２０に本体４０が搭載された顕微鏡１０１では、シェーディング補正された被検物１の画像は、スタンド２０に接続されたモニタ３７にスタンド２０のＧＵＩ生成部５６を介して表示する。これにより、取得した被検物１の画像をモニタ３７で拡大して観察することができる。
【００４４】
以上述べたように、本実施形態にかかるシェーディング補正装置、顕微鏡は、照明光学系のシェーディングデータおよび撮影光学系のシェーディングデータを予め計測してメモリにそれぞれ記憶しておき、選択された照明条件と撮影条件に対応するシェーディング補正データをシェーディング補正データ生成部で生成して、ＣＣＤで取得した画像をシェーディング補正することで、光学系のシェーディングを解消した高品質の画像を取得することができる。
【００４５】
また、シェーディング補正データ生成部は、メモリに保存された照明光学系のシェーディングデータと撮影光学系のシェーディングデータとから観察時の照明条件と撮影条件との合成シェーディング補正データを生成するので、全ての組み合わせのシェーディングデータを保存する場合に比べてメモリ容量を少なくすることができ、本願の如きハンディー顕微鏡でもシェーディング補正を行った高品質の画像を得ることができる。
【００４６】
また、照明条件と撮影条件は、それぞれ調光手段（ボタン、スイッチ等）の位置、変倍率（変倍ボタン、ズームスイッチ等の位置）を検出して、対応するそれぞれのシェーディングデータから合成のシェーディング補正データをシェーディング補正データ生成部で生成して、取得した被検物（標本）画像のシェーディング補正を行うことで、照明条件と撮影条件の種々の組み合わせで取得した被検物画像に対するシェーディング補正を行うことができる。
【００４７】
また、本体のみで顕微鏡観察する時に、照明光の光量を下げてシェーディング補正した画像を取得でき、バッテリの消耗を低減できるので屋外等での長時間の観察を行うことができる。
【００４８】
以上で本シェーディング補正装置と顕微鏡の説明を終えるが、本顕微鏡は、スタンドに着脱可能な上述のような顕微鏡だけでなく、対物レンズの外周に観察照明部が配置されたその他の顕微鏡、例えば実体顕微鏡等にも取り付けることができる。本シェーディング補正装置を用いることにより、光学系のシェーディングを補正した画像を取得することができる。
【００４９】
また、本実施形態では、ＬＥＤからなる照明部を有する顕微鏡について説明したが、これに限定されないことは言うまでも無い。
【符号の説明】
【００５０】
１  被検物（標本）
１０  ステージ
１２  ベース部
１４  支柱
１６  アーム部
１８  コネクタ
２０  スタンド
２４  ステージ用上下動ハンドル
２６  アーム部用上下動ハンドル
３３  スタンド側制御基板
４０  顕微鏡本体
４１  対物レンズ
４２  本体側制御基板
４７  筐体
４８  把持部
４９  レンズ
５０  調光ボタン
５２、５７  メモリ
５３  シェーディング補正データ生成部（ＣＰＵ）
５４  シェーディング補正部
５５  画像生成部
５６  ＧＵＩ生成部
６０  顕微鏡用アダプタ
６１  開口部
６２  アダプタ底部
６３  筒状部
６４  アダプタ筐体
７０  変倍ボタン
１０１  顕微鏡
【図１】
2011150194.tif 000003
【図２】
2011150194.tif 000004
【図３】
2011150194.tif 000005